(57)【特許請求の範囲】
【請求項１】
座面と、背凭れ面と、左側面材からなる左用座椅子部品において、
座面と背凭れ面と左側面材は互いにほぼ直角に繋ぎ合せてなり、この座面はおよそ四角形とし、この左側面材の高さは想定使用者の座高程度の寸法とし、この背凭れ面は許容範囲内の形状寸法であるとし、その許容最小寸法は座面の後辺と左側面材の上端奥角を結んでなる三角形であり、その許容最大寸法は左側面材と同一高さと座面の後辺からなる長方形であるとし、これら座面と背凭れ面と左側面材は気密性の平面素材で形成すると共に、気密的に繋ぎ合せるものとし、
この左用座椅子部品の１個はその姿勢のまま維持させたうえで、左用座椅子部品を左右鏡像反映させてなる鏡像異性体（ｅｎａｎｔｉｏｍｅｒ）を右用座椅子部品とし、この右用座椅子部品を上下ひっくり返した姿勢の右側面材と、維持させていた左用座椅子部品の左側面材を重ね合わせて一体化して重合側面材とし、この重合側面材には透明窓を気密的に設けてなる、膝載せ用の座椅子。
【請求項２】
請求項１記載の膝載せ用の座椅子において、左用の背凭れ面と重合側面材と右用の背凭れ面の３面が屏風状に折畳めるように屈曲可能な接合材で繋ぎ合せ、左右の座面も折畳めるように屈曲可能な素材もしくは屈曲可能な接合材で繋ぎ合せて形成してなる、膝載せ用の座椅子。
【発明の詳細な説明】
【技術分野】
【０００１】
本願は、座椅子と仮称する。本質的には、伝染病の感染を予防する為の防疫用の遮蔽板、カバー、ガード、パーテーションである。具体的に説明すると、キャバレー、クラブなどの接待飲食店用に、感染予防具として遮蔽カバー付きの座椅子を着想した。お客男性の膝上に接客女性が座るという接客形態を考えだし、膝上にこの座椅子を載せ、その座椅子に接客女性が座るという形態である。つまりヒザ抱っこである。従来物品との類似性は、遮蔽板よりも座椅子のほうが近いので、座椅子と記載する。
本願は新型コロナ（ＣＯＶＩＤ−19）予防を想定したものであるが、インフルエンザやその他の飛沫伝染病を予防するものである。
本願の膝載せ座椅子なる物品は、新しい物品である。膝載せ座椅子に類似する物は、従来物品の中に無い。それゆえ「膝載せ座椅子」なる名称や部材名や用語の表現は、適切か判断しかねるし、語句の変更もあり得る。
膝載せ人とは、風俗店におけるお客男性である。膝乗り人とは、風俗店従業員の接客女性である。男女双方の位置関係は、横向きヒザ抱っこ状態である（図１）。
【背景技術】
【０００２】
新型コロナが世界中に拡がり、パンデミックが起こった。感染予防の為に、いろいろな予防策がとられるようになった。マスク、フェイスマスク、遮蔽板衝立、天井吊りの遮蔽シート、他人と社会的距離を空ける事などである。
しかしながらスナック、バー、キャバクラなどの接待飲食店では、大打撃を受けている。マスクで顔半分を覆い、１ｍ離れての接客である。顔の表情は半分見えず、声はマスクでくぐもって聞こえ難く、それで距離位置も離れていては、会話がはずまず、楽しくない。来店客は減る一方である。
非特許文献１のコロナ予防の為の「接客業のガイドライン」は、以下の４項目である。
・マスクを着用する。(フェイスシールド、マウスシールドでの代用可能)
・入店時の検温をする。
・パーテーションを用いた場合、ソーシャルディスタンスは不要。
・感染拡大国から入国後、14日未満のお客様の入店は規制する。
パーテーションという遮蔽物で仕切るならば、マスク着用もソーシャルディスタンスも不要になる、との説明である。それならば、お客男性の膝上に接客女性が座る状態であっても、両者を隔てる遮蔽物で仕切れば、ガイドライン規則に違反しないと考えた。そしてその様な座椅子をデザインした物品が、本願である。
「他人を膝上に座らせる」という行為は、奇異に思われがちである。だが「ヒザ抱っこ」はたいていの親子間で行われている行為であるし、それゆえ一般用語になっている訳である。また「大人を座らせるのは体重が重過ぎるのではないか」と不安に思われがちだが、それも杞憂である。お客男性は店舗椅子に座っているので、膝に他人の体重が掛かったとしても、その荷重は椅子座面や骨格が支えるだけであり、男性側の筋肉負荷は無く、長時間座られても鬱血せず、ほとんど負担無いのである。その証拠例としてバングラデシュの国内において、電車内に空席が無いけど座りたい人は、他人の膝上に座るのが常識となっている。
先願特許の調査を行ったが、類似先願特許は見当たらなかった。とりあえず「座椅子」「遮蔽」「病気」で検索ヒットした特許公報を以下に示す。
【先行技術文献】
【特許文献】
【０００３】
【特許文献１】特開２０１５−２０８４７３号（背凭れ付きの単純形の座椅子）、Ａ４７Ｃ３／１６
【特許文献２】特開２０１１−１３７５８８号、「飛沫物遮蔽用エアカーテン装置」、Ｆ２４Ｆ９／００
【特許文献３】特開２０１１−８５５８２号、「放射線遮蔽安全ガラス」、Ｇ２１Ｆ１／０６
【非特許文献】
【０００４】
【非特許文献１】（社）日本水商売協会ホームページ、「接客業のガイドライン」、２０２０年８月掲載
【発明の概要】
【発明が解決しようとする課題】
【０００５】
本願の課題は、ヒザ抱っこした当人と他者の呼気飛沫を、互いに遮蔽する事である。
副次的な課題は、積重ね可能とする事である。ヒザに載せた他者の全体を遮蔽物で覆うとすると、大容積な器具にならざるを得ない。大容積な器具は、積み重ね可能である事が求められる。その理由は、製造、運搬、販売、収納する場合に、積み重ね可能であると製造コストや作業効率や収納効率上の利点になるからである。ここでいう積重ね可能とは、物品を変形させないまま積重ね出来る構成だけでなく、物品を折畳んでから積重ねられる構成も含む。
【課題を解決するための手段】
【０００６】
懸かる課題解決の為、お客の膝上に接客女性が座り、双方の間を遮蔽カバーで仕切る事を解決手段とする。カバー付き座椅子である。膝上に座るといっても、背を向けてではなく、横向きの座り方である。そうすれば接客女性が横を向けば、互いに顔を合せられる。
座椅子の構成を具体的に説明すると、座面と背凭れ面と左側面材とで左用座椅子部品を形成する。座面と背凭れ面と左側面材は互いにほぼ直角に繋ぎ合せる。座面はおよそ四角形とする。左側面材の高さは想定使用者の座高程度の寸法とする。背凭れ面は許容範囲内の形状寸法であるとし、その許容最小寸法は座面の後辺と左側面材の上端奥角を結んでなる三角形であり、その許容最大寸法は座面の後辺と左側面材の縦辺からなる長方形であるとする。これら座面と背凭れ面と左側面材は気密性の平面素材で形成すると共に、気密的に繋ぎ合せるものとする。
つぎに上記の左用座椅子部品の１個はその姿勢のまま維持させたうえで、左用座椅子部品を左右鏡像反映させてなる鏡像異性体（ｅｎａｎｔｉｏｍｅｒ）を右用座椅子部品とし、この右用座椅子部品を上下ひっくり返した姿勢の右側面材と、維持させていた左用座椅子部品の左側面材を重ね合わせて一体化して重合側面材とし、この重合側面材には透明窓を気密的に設け、膝載せ用の座椅子を形成するものである。
【０００７】
さらに望ましい構成としては、膝載せ用の座椅子の、左用の背凭れ面と重合側面材と右用の背凭れ面の３面が屏風状に折畳めるように屈曲可能な接合材で繋ぎ合せ、左右の座面も折畳めるように屈曲可能な素材もしくは屈曲可能な接合材で繋ぎ合せて構成するものである。
ここでいう「ほぼ直角」とは、微細な許容角を含む直角である。幾何学的に狭義な直角ではない。
ここでいう「およそ四角形」も、微細な変形を含む四角形である。幾何学的に狭義な四角形ではない。角部分に面取りやアール曲線をつけた形状も含めての四角形である。
ここでいう想定使用者とは、一般的には膝載せ人となるお客男性である。想定使用者の座高程度とは、成人男性の平均座高統計値ということになる。細かな事情をいえば、男性の頭髪が反転側の座面に触れずに済む条件は、以下の式になる。
（側面材の高さ）≧（男性の平均座高−男性の平均大腿部厚さ＋男性の髪形厚さ）
しかしながら来店するお客の身長や髪形はさまざまである。それゆえ「座高」ではなく、許容誤差を含めた「座高程度」と記載している。本願が外国出願される場合には、当該国の成人男性の平均座高程度となる。
ここでいう窓の透明素材とは、対面する相手が見える程度の透明さがあれば充分である。色付きの透明板や半透明やハーフミラーでもよい。窓素材は、塩化ビニル、アクリル、ポリエステル、ポリカーボネート、ナイロンシートが有力候補であるが、強化ガラスや他素材でも構わない。
ここでいう気密性とは、一般社会生活で認められている程度の、ゆるい気密性である。近距離からクシャミしても飛沫が漏出しない程度の気密性で充分である。厚手ジーンズ生地や絨毯生地でもよい。
【発明の効果】
【０００８】
本願の膝載せ座椅子は、３つの作用の重ね合せによって、飛沫感染予防効果が高い。
第一作用は、遮蔽板の作用である。載せ人（お客男性）と乗り人（接客女性）の間は、気密性の平面素材を気密的に繋ぎ合せた重合側面材と窓と背凭れ面で仕切られるので、男性が息吹き飛沫（咳クシャミ、大声）を飛ばしても遮断される。
第二作用は、男性の姿勢向きを基準にして、女性の姿勢は90度横向きなので、女性の息吹き飛沫は横方向へ拡散し、男性側に届き難くなる。
第三作用は、擬似エントツ作用によって、双方の吐息飛沫は上昇するので、互いの吸気に混入し難くなる。男女両者とも膝載せ座椅子と密接するので、隙間空気は体温で温められて上昇する。擬似エントツ作用とは、垂直で高低差があり、なおかつ平滑な空間と、その空間全体を温める熱源という４条件が揃ってこそ生じる、空気上昇作用である。上昇した空気量を補うべく、部屋の中下層から新鮮な空気が供給されるという空気循環となるので、互いの呼気は相手側の吸気には混入し難くなる。
本願の膝載せ座椅子は、接触感染予防効果がある。お客男性は、接客女性を膝に座らせ、飲酒で自制心が緩んでくれば、触れたい欲求に駆られがちである。しかしお客男性は重合側面材、座面、背凭れ面で仕切られるので、手が届かず、接触は遮断される。背凭れ面は、最小面積でも図８に示すように、座面の後辺と重合側面材の端角を結んでなる三角形なので、接触遮断する作用を果たしている。また女性の体重で押えつけられているので、座椅子は動かせないし、男性も身動きできず、手を伸ばす事は出来ない。
【０００９】
本願の膝載せ座椅子は、店舗収容客数を維持もしくは高める効果がある。接客業では、座席数を一つでも多くする事が利益に直結する。現状ではコロナ予防のソーシャルディスタンスで、お客と接客女性が距離を空けるので、収容来客数は半分以下になってしまっていた。「膝載せ座椅子での接客形式」を採用すれば、ソーシャルディスタンス不要になるので、収容来客数は従来通りか、従来より増やせる。非特許文献１の「接客業のガイドライン」にて、遮蔽板（パーテーション）が有る場合の接客では、マスクもソーシャルディスタンスも不要である旨が記載されている。
本願の膝載せ座椅子は、利き手左右対応効果がある。「膝載せ座椅子での接客形式」では、お客男性が片手でグラスを持つ為に、利き手側スペースが広い事が望ましい。膝載せ座椅子は、鏡面異性体を合せた構成なので、上下反転させて対処できる。利き手が左利きのお客さまの場合には、実施例１の膝載せ座椅子を上下反転させればよい。図１Ａを左右反転させた図のごとくになる。
本願の膝載せ座椅子は、擬似的なスキンシップ効果がある。スキンシップ効果とは、触合いによって癒され、血圧低下やストレスが解消される効果である。本願構成は、あくまで座椅子が介在しているが、膝上に体重が掛かり、相手の動きも体重移動として伝わるので、スキンシップ効果を擬似的に得られる。
ちなみに「背凭れ面の許容最大寸法の長方形」という構成要件は、余計に嵩張らないという作用を果たしている。図１のような使用中でも、図９のような折畳み状態でも、背凭れ面が許容寸法内であれば嵩張らずに済む。「背凭れ面の許容最小寸法の三角形」という構成要件は、接触遮断作用のみならず、重合側面材と座面の形状や強度を最低限維持する作用を保障している。
【図面の簡単な説明】
【００１０】
【図１】実施例１の座椅子の使用状態（接客中）を示す斜視図である。
【図２】実施例１の座椅子の使用状態（女性待ち）を示す斜視図である。
【図３】実施例１の座椅子を使用する直前状態を示す斜視図である。
【図４】実施例１の座椅子の展開図である。
【図５】実施例１の折畳み状態を示す側面図である。
【図６】実施例２の座椅子の斜視図である。
【図７】実施例２の座椅子をゆるく重ねた状態の斜視図である。
【図８】実施例３の座椅子の斜視図である。
【図９】実施例３の座椅子を折畳んだ状態の側面図である。図解し易いようにゴム素材は点線模様で図示した。
【発明を実施するための形態】
【００１１】
本願の膝載せ座椅子は、平面素材の種類や、全体形状デザインによって、さまざまに構成し得る。まずは図解理解し易い構成として、実施例１を説明する。つぎに大量生産向きな構成を、実施例２で説明する。軽薄短小化した構成を実施例３で説明する。
【実施例１】
【００１２】
図１〜５を参照として実施例１を説明する。実施例１は、図面に表現し易く、公報閲覧者に理解し易い構成である。
プラスチック製の段ボール板２を図４のように切りだす。一重破線は、谷折り線であり、二重破線は山折り線である。中央の３枚の長方形部は、すべて同寸法であり、縦は男性平均座高寸法で、横幅は男性平均胴体幅寸法とする。左の長方形部が左用背凭れ面３であり、下辺に左座面後部５を連続させる。また左用背凭れ面３の左上には円環状の握り手12を連続させる。
中心の長方形部は重合側面材９であり、透明アクリル板10を嵌め込む。重合側面材９の下辺には左座面前部４を連続させ、この左座面前部４の長辺には糊代片11を連続させる。重合側面材９の上辺には右座面後部８を連続させる。
右の長方形部が右用背凭れ面６であり、上辺に右座面前部７を連続させる。この右座面前部７の長辺にも糊代片11を連続させる。また右用背凭れ面６の右下には円環状の握り手12を連続させる。
この段ボール板２を、折り線の通りに折り曲げ、糊代片11で接着すれば、図１に示すような座椅子１ができる。運搬や収納時には、屏風状に折畳めて、図５のようになる。
お店で座椅子１を使用する方法を説明する。お客男性が座った状態（図３）から、膝の上に座椅子１を載せ（図２）、握り手12を持ち支える。そして座面に接客女性が座るのである（図１）。座椅子１という遮蔽物があるので、マスクは不要となる。透明アクリル板10を通して、互いの顔表情を間近に見ながら会話を楽しむ事ができる。互いに密着しつつも、呼気は遮蔽され、接触も不可となるので、感染予防される。男性の右手側は広い空間が空いているので、グラスを持って飲んだり出来る。男性の手が左利きの場合には、座椅子１を上下反転させれば、左右鏡像反映させた形状となり、男性左手側が広く空くようになり、支障ない。お客男性がお帰りになったら、座椅子１は店舗ホールの片隅か店奥へ運び、消毒拭きしてから、屏風のように折畳み、収納スペースへ片づける。
【実施例２】
【００１３】
図６、７を参照として実施例２を説明する。実施例２の座椅子14は、実施例１とおおよそ同様な形状である。座椅子14の座面16以外の連続側面材15を、透明で可撓性のある厚手の塩化ビニルシートで形成する。ただし屏風状ではなく、オーロラのような曲線デザインの形状とする（図６）。塩化ビニルは、強靭さと形状維持と柔軟性のバランスが保てるように、可塑剤を加えて柔軟ゴム状にさせてもよい。連続側面材15は、左用背凭れ、重合側面、右用背凭れを連続して一体化させたものである。座面16は、隙間なくピッタリと積重ね可能な形状であれば多少の凹凸は許容される。従来の積重ね椅子の座面形状であれば適用可能である。
この座椅子14は折畳みは出来ないが、重ねる事は可能である。座椅子14を３個重ねたのが図７である。座席数が多い大店舗向けの構成となる。曲面が多いので、堅苦しさがない。また消毒拭き作業もし易い。また座椅子は、大柄な人向けとして、連続側面材の高さを高くしたＬサイズの座椅子を製作してもよい。その場合、寸法差分の隙間は空くが、座椅子同士は積重ね可能である。
【実施例３】
【００１４】
図８、９を参照として実施例３を説明する。実施例３は、背凭れ以外は実施例１と同様の概形である。折畳む時に座面19を中心側へ折り込む構成である。
まず背凭れ面18は、本願としての許容最小寸法とする。つまり座面19の後辺と重合側面材22の上端奥角を結んでなる三角形である。透明素材からなる窓は上下で２分割し、上が左用窓23であり、下が右用窓24である。座面19は、強度、靭性、柔軟性が適度にあるハイバロンゴムシート（ＣＳＭ）とする。ＣＳＭはゴムボート採用素材である。この座椅子17に握り手は無いが、背凭れ面18の周縁を握り持てる。
この座椅子17を折畳んだ状態を図９に示す。背凭れ面18と重合側面材22は屏風状に折畳み、その内側へ座面19を織り込む。図５に比べ、より小さく折畳める。図９において上の右用座面21は直視できるので濃く図示し、下の左用座面20は窓越しなので薄く図示している。背凭れ面18が許容最小寸法であっても、呼気遮断、接触遮断の作用効果は充分に発揮される。
【産業上の利用可能性】
【００１５】
風俗店舗の形態や規模に応じて、膝載せ座椅子への要求条件、優先度は異なる。実施例１〜３のタイプを説明したが、これらの組合せや、別素材も考えられる。実施例１〜３の座面は、正方形としたが、重合側面材側の辺が男性平均胴体幅寸法であれば四辺形でも許容される。また実施例１，２に握り手を設けたが、無くてもよい。将来的に、透明かつ丈夫で耐久性もあるゴム素材が開発されれば、その素材を用いてもよい。
膝載せ座椅子の窓は、できるだけ透明度を保ち、傷付き難い事が求められる。また息によって曇り難い事が求められる。汚れ難さも求められる。何かの拍子に女性の口紅が窓に付着する事も想定されるが、口紅は汚れ落とし難い物のひとつである。窓素材はこれら要求に沿う新素材や、処理加工が施されるのは当然のことである。
膝載せ座椅子の座面においては、座る位置も向きも定まっているので、従来の椅子の座面と同様に、骨盤や尾骨が乗る位置を窪ませる配慮などは当然になされる。
本願は、風俗業界以外でも転用の可能性はある。お見合いパーティ、催事イベントでの小道具、手相占い用遮蔽板、テレビ映画などの小道具である。
ちなみに本願の膝載せ座椅子は、とても特殊な物品である。コロナ感染予防の業種別ガイドラインはあっても、日々変更され、今後も変わり得る。また諸外国においても法規制はいろいろ異なる。それゆえ膝載せ座椅子に、さらに遮断の為のカーテンカバーを後付けしたりする可能性は有る。
【符号の説明】
【００１６】
１座椅子        ２段ボール板    ３左用背凭れ面  ４左用座面前部  ５左用座面後部
６右用背凭れ面  ７右用座面前部  ８右用座面後部  ９重合側面材    10透明アクリル板
11糊代片        12握り手        14座椅子        15連続側面材    16座面
17座椅子        18背凭れ面      19座面          20左用座面      21右用座面
22重合側面材    23左用窓        24右用窓
Ａ接客女性      Ｂお客男性      Ｃ店舗椅子
【要約】
【課題】コロナ等の伝染病から感染を予防する為の座椅子である。キャバレー、クラブの接客でガイドラインの感染予防（マスク着用、座席間隔を広げる）を行うと、お客側としては接客サービス満足感が得られない。
【解決手段】ヒザ抱っこしつつ、遮蔽カバーで覆えるような座椅子を形成することを解決手段とする。つまり接客女性を横向きにして、お客の膝上へ座らせる形態をとりつつ、女性全体をカバーで覆って遮蔽する。カバー座椅子の作りは、上半身が入る方形箱の側面ひとつだけ取除き、右側面と天井面を１８０度折り曲げると再接触する辺を繋ぎ合せ、中央側面に透明窓を設けて、形成する。
使用時は、お客男性が座椅子を膝上に載せ、座面に接客女性が横座りするものである。呼気も接触も遮断され、感染予防できる。女性がやや横を向き、流し目すれば、窓を通してお客とアイコンタクト出来る。互いの距離が近いので、小さな声でも会話に支障ない。
【選択図】    図１【図１】
0006850390.tif 000002
【図２】
0006850390.tif 000003
【図３】
0006850390.tif 000004
【図４】
0006850390.tif 000005
【図５】
0006850390.tif 000006
【図６】
0006850390.tif 000007
【図７】
0006850390.tif 000008
【図８】
0006850390.tif 000009
【図９】
0006850390.tif 000010